(57)【要約】【課題】塵芥収集車の塵芥収容部内での火災発生時において、迅速な消火活動を実施でき、特に塵芥収集車の走行機能を確保して本格的な消火活動を実施できる安全な場所に至るまで塵芥収集車の移動運転を可能にする。【解決手段】特定の１本の消火用圧力ガス容器の開放手段のほか、該特定の１本の消火用圧力ガス容器の放射終了時点近くで別の１本の消火用圧力ガス容器を順次自動的に起動させるタイマー装置を備えるために、１本の消火用圧力ガス容器によるガス放射で間に合わない場合においては、あらかじめ設定しておいた一定の時間経過と同時に別の１本の消火用圧力ガス容器からのガス放射を継続して行うことにより最小限の消火用圧力ガス量により塵芥収容部内での火災拡大を抑制し、その間に塵芥収集車を安全な場所に移動させてから消防車あるいは消火栓使用などによる本格的で、十分な消火活動を実施して塵芥収集車自体の焼損を最低限に留めることができる。【選択図】図５
2008284194.tif 000002
【特許請求の範囲】
【請求項１】
塵芥収集車に車載された複数本の消火用圧力ガス容器と、塵芥集取車の塵芥収容部内に向けて設置された消火ガス放出ノズルと、一端をそれぞれの消火用圧力ガス容器に接続させ、他端を消火ガス放出ノズルに接続させた接続パイプと、消火用圧力ガス容器の放射を操作する操作部とからなり、該操作部には特定の１本の消火用圧力ガス容器の開放手段と、開放された消火用圧力ガス容器の放射終了時点近くで別の１本の消火用圧力ガス容器を順次自動的に起動させるようにしたタイマー装置と、放出中の消火用圧力ガス容器の放出以後の別の消火用圧力ガス容器の起動用タイマーの作動を停止させる非常停止手段とが備えられていることを特徴とした塵芥収集車用消火燃焼抑制システム。
【請求項２】
消火用圧力ガス容器の圧力ガスが二酸化炭素ガス等の不活性ガスであるところの請求項１に記載の塵芥収集車用消火燃焼抑制システム。
【請求項３】
塵芥収容部の容積１ｍ３に対する二酸化炭素ガスの放射量を、１分間に０．１０ｋｇ〜０．１７ｋｇの範囲内とするところの請求項１に記載の塵芥収集車用消火燃焼抑制システム。
【請求項４】
塵芥収容部の容積１ｍ３に対する二酸化炭素ガスの放射量を、１分間に０．１２ｋｇ〜０．１７ｋｇの範囲内とするところの請求項１に記載の塵芥収集車用消火燃焼抑制システム。
【発明の詳細な説明】
【技術分野】
【０００１】
本発明は、塵芥収集車の塵芥収容部内での火災発生時において、迅速な消火活動を実施できるとともに、特に塵芥収集車の走行機能を確保して本格的な消火活動を実施できる安全な場所に至るまで塵芥収集車の移動運転を可能にすることを目的とする。
【背景技術】
【０００２】
塵芥収集車の塵芥収容部内において発生した火災を消火する手段としては、これまでにたとえばゴミ収納室内天井に複数の噴射ノズルを設けるとともに、不活性ガス消火器を搭載して、この消火器の不活性ガスを上記噴射ノズルより放出して消火し、あるいは液化ガスの気化潜熱を利用して効率消火をはかるようにしたもの（特開２００７−２１１３４号公報参照）、あるいは同じく塵芥収集車の塵芥収容箱内天井部に消火ノズルを設置するとともに、外部から送水ホースを接続して上記消火ノズルより水を噴射することにより消火するようにしたもの（実用新案登録第３０８４５３２号公報参照）が知られている。
【０００３】
またゴミ収集車のゴミ収納室内に向けて噴射ノズルを設置するとともに、補助圧力ボンベ付の消火液収容タンクを備え、車両エンジンにより駆動されるポンプにより消火液収容タンク内の消火液を上記噴射ノズルにより放射して消火するようにしたもの（実用新案登録第３０８６１６７号公報参照）や、塵芥収容部内にガス放出配管を設置し、該ガス放出配管に塵芥収集車の廃棄ガスを送風機つきの冷却装置を介して導入することにより消火するようにしたもの（特開２００５−３２３８５５号公報参照）なども知られている。
【特許文献１】特開２００７−２１１３４号公報
【特許文献２】実用新案登録第３０８４５３２号公報
【特許文献３】実用新案登録第３０８６１６７号公報
【特許文献４】特開２００５−３２３８５５号公報
【発明の開示】
【発明が解決しようとする課題】
【０００４】
しかしながら上記した特許文献１〜４に記載された発明は、その何れもが塵芥収集車を停止させて塵芥収容室内に水や不活性ガスなどの消火剤を放射して消火しようとするものであるために、ある程度まで火災が広がった段階での消火手段としては、元来密閉性が不完全な塵芥収容室内での火災を完全消火するには比較的困難を伴うことが多い。またとくに市街地での火災発生時においては、付近の車両や建物などの施設にも重大な影響を及ぼし、あるいは細い路地での消火活動に著しい障害を生じやすい。
【課題を解決するための手段】
【０００５】
そこで本発明にあっては、塵芥収集車における塵芥収容室内での火災発生に際し、発火初期においては略完全消火が可能であるとともに、ある程度燃え広がった場合にも、塵芥収集車の走行機能を確保しつつ塵芥収集車を市街地や路地などから安全な場所に移動させることができるようにしたものである。
【０００６】
すなわち、本発明は具体的には塵芥収集車に車載された複数本の消火用圧力ガス容器と、塵芥集取車の塵芥収容部内に向けて設置された消火ガス放出ノズルと、一端をそれぞれの消火用圧力ガス容器に接続させ、他端を消火ガス放出ノズルに接続させた接続パイプと、消火用圧力ガス容器の放射を操作する操作部とからなり、該操作部には特定の１本の消火用圧力ガス容器の開放手段と、開放された消火用圧力ガス容器の放射終了時点近くで別の１本の消火用圧力ガス容器を順次自動的に起動させるようにしたタイマー装置と、放出中の消火用圧力ガス容器の放出以後の別の消火用圧力ガス容器の起動用タイマーの作動を停止させる非常停止手段とが備えられていることを特徴とした塵芥収集車用消火燃焼抑制システムに関する。
【発明の効果】
【０００７】
本発明は、特定の１本の消火用圧力ガス容器の開放手段のほかに、該特定の１本の消火用圧力ガス容器の放射終了時点近くで別の１本の消火用圧力ガス容器を順次自動的に起動させるようにしたタイマー装置を備えるために、１本の消火用圧力ガス容器によるガス放射で間に合わない場合においては、あらかじめ設定しておいた一定の時間経過と同時に別の１本の消火用圧力ガス容器からのガス放射を継続しておこなうことにより最小限の消火用圧力ガス量により塵芥収容部内での火災拡大を抑制しつつ、その間に塵芥収集車を安全な場所に移動させてから消防車あるいは消火栓使用などによる本格的で、かつ十分な消火活動を実施して塵芥収集車自体の焼損を最低限に留めることができる。
【０００８】
また最小限の消火用圧力ガス量を装備していれば良いため、従来のシステムにくらべて小型・軽量でシステムコストがかからないばかりか、塵芥車の燃費の悪化に繋がる重量の増加を最小限にする効果がある。
【発明を実施するための最良の形態】
【０００９】
以下において本発明の具体的な内容を図示の実施例をもとに説明をする。図１には塵芥収集車の一例があらわされている。図において１は図示しない車体のシャーシ上前端に取り付けられた運転室、３はシャーシ中央部に架装された塵芥収容部、８はシャーシ後端方向であって塵芥収容部３の後方部に取り付けられた塵芥投入部をあらわしている。
【００１０】
運転室１の側面後部には操作部２が設けられ、また塵芥収容部３の前方、つまり運転室１との間には消火装置本体部Ｆが設置され、該消火装置本体部Ｆには図５にもあらわしたようにそれぞれたとえば電磁式ソレノイド等を用いた電気的な起動装置（開放手段）４ａｘ・４ｂｘ付きの２本の消火用圧力ガス容器４ａ・４ｂが車載されている。なおこの場合に使用される消火用圧力ガスとしては一般的な不活性ガスでよく、コスト面より考えると二酸化炭素ガスの使用が好ましい。なお５は手動式の泡消火器をあらわしている。
【００１１】
さらに塵芥収容部３内の天井部には塵芥収容部３内に向けて消火ガス放出ノズル６が設置されており、該消火ガス放出ノズル６と前記した消火用圧力ガス容器４ａ・４ｂとの間には、一端をそれぞれの消火用圧力ガス容器４ａ・４ｂに接続させ、他端を消火ガス放出ノズル６に接続させた接続パイプ７が介在されている。
【００１２】
また操作部２の表側には図４に拡大してあらわしたように起動押し釦２ａと非常停止押し釦２ｂ、およびタイマー２ｄ（図５参照）とが設けられている。なお２ｃは電源灯をあらわしている。また操作部２の裏側には塵芥収集車の車載電源バッテリーＢに接続するための端子、および消火用圧力ガス容器４ａ車載電源バッテリーＢとの接続部にはフューズが介在される。
【００１３】
また本発明の塵芥収集車用消火燃焼抑制システムには、上記した構成のほかに好ましくは塵芥収容部３内に温度センサ（図示省略）を備え、運転室１内において該温度センサによる異常発生を感知できるようにすると、より一層効率的でしかも初期消火活動開始が可能となる。
【００１４】
上記の構成において、運転室１内の表示等により塵芥収容部３内において火災が発生したことを確認した場合には、ただちに操作部２の起動押し釦２ａを押す。起動押し釦２ａが押されると起動装置４ａｘが作動し、特定の１本の消火用圧力ガス容器４ａが開放され、同時に消火用圧力ガス容器４ｂの起動装置（開放手段）４ｂｘを作動させるための操作部２のタイマー２ｄがスタートを開始する。
【００１５】
なお、このタイマー２ｄの設定時間については、特定の１本の消火用圧力ガス容器４ａからの圧力ガス放出時間と略等しい時間（概ね３〜７分間程度）に設定する。この特定の１本の消火用圧力ガス容器４ａからの消火用圧力ガス放射中に塵芥収集車を安全な場所、つまり本格的な消火活動に支障のない場所まで移動させる。
【００１６】
発生した火災が小規模で移動途中において略完全消火するか、あるいは短時間の移動後、消防車等により本格的な消火活動が開始された場合においては操作部２の非常停止押し釦２ｂを押すことにより前記したタイマー２ｄがリセットされ、起動装置（開放手段）４ｂｘの駆動が開始されなくなるために２本目の消火用圧力ガス容器４ｂからの圧力ガス放射をおこなわずに済む。
【００１７】
さらに操作部２の非常停止押し釦２ｂが押されない場合、すなわち塵芥収集車の安全な場所への移動に時間がかかり、特定の１本の消火用圧力ガス容器４ａからの圧力ガス放出が略終了する頃にはタイマー２ｄの設定時間経過に伴って起動装置（開放手段）４ｂｘの駆動が開始され、継続して２本目の消火用圧力ガス容器４ｂからの圧力ガス放射が自動的に開始される。
【００１８】
なお、上記した実施例においては、消火用圧力ガス容器を２本だけ設置した場合について説明をしたが、消火用圧力ガス容器を３本、あるいはそれ以上設置する場合においては、これらに対応する数の別のタイマーおよび開放手段を増設することによって、一本宛順次継続的に塵芥収容部３内に消火用圧力ガスの放射をおこなうことが可能である。
【００１９】
また、上記の実施例においては、特定の１本の消火用圧力ガス容器の開放手段として操作部２に備えた起動押し釦２ａを押すことにより起動装置（開放手段）４ａｘを作動させる場合について説明をしたが、このほかにも例えば上記した起動押し釦２ａを押しても起動装置（開放手段）４ａｘ・４ｂｘが何らかの影響で作動しなかった場合、あるいは塵芥収集車が停止している場合等においては、起動装置（開放手段）４ａｘ・４ｂｘに付属する手動起動用レバー４ａｙ、あるいは４ｂｙを手動操作することによって消火用圧力ガス容器４ａ・４ｂからの圧力ガス放射をおこなうことも可能であり、本発明における消火用圧力ガス容器の開放手段としては、このような手動による場合も含まれる。
【００２０】
さらに、従来の消火システムにおいては、消火用圧力ガスが二酸化炭素ガスの場合は消防法令により１分以内に全量放射することが求められていた関係で、塵芥収容部の容積１ｍ３に対して１分以内に１．１ｋｇの二酸化炭素ガスを放射していたが、本発明のシステムでは、実験の結果塵芥収容部内への放射ヘッドの取り付け位置について、外部からの酸素が供給を遮断するのに最適な位置に配置することによって、塵芥収容部の容積１ｍ３あたり１分間に０．１０ｋｇの二酸化炭素ガス放射であっても燃焼抑制可能であることを確認している。
【００２１】
しかし塵芥収容部の容積１ｍ３に対して１分間に０．１７ｋｇを超えても無駄を生ずるところから０．１０ｋｇ〜０．１７ｋｇの範囲内がよい。さらに多少の余裕をみると塵芥収容部の容積１ｍ３に対して二酸化炭素ガス放射量の下限値について１分間に０．１２ｋｇ程度あればよく、また塵芥収容部の容積１ｍ３に対して１分間に０．１７ｋｇを超えても無駄を生ずるところからさらに望ましくは０．１２ｋｇ〜０．１７ｋｇの範囲内での継続放射が望ましい。
【実験例】
【００２２】
〔二酸化炭素ガスボンベ１本を５分間で放射する場合の実験例〕
塵芥収容部の容積│１本当りの二酸化│１分間に放射する二│塵芥収容部の容積当
[m3]│炭素ガス量[kg]  │酸化炭素ガス量[kg]│りの１分間に放射す
│                │                  │るガス量[kg]
４．２    │    ３．２      │  ０．６４        │  ０．１５２
６．０    │    ４．６      │  ０．９２        │  ０．１５３
８．６    │    ６．８      │  １．３６        │  ０．１５８
【００２３】
上記の実験例でも明らかなように、本発明による消火システムを用いた場合においては、従来のシステムの１４〜１５％程度の二酸化炭素ガス使用量で済むために、小型軽量でしかも低コストの塵芥収集車用消火燃焼抑制システムの提供が可能となる。
【図面の簡単な説明】
【００２４】
【図１】本発明に係る消火システムを装着した塵芥収集車の一実施例をあらわした概略側面図。
【図２】図１におけるＡーＡ部分矢視方向における塵芥収容部の前面図。
【図３】図１におけるＢーＢ部分矢視方向における塵芥収容部の平面図。
【図４】操作部の表側をあらわした拡大図。
【図５】本発明に係る消火システムの概略をあらわしたブロック図。
【符号の説明】
【００２５】
１      運転室
２      操作部
２ａ    起動押し釦
２ｂ    非常停止押し釦
２ｃ    電源灯
３      塵芥収容部
４ａ    消火用圧力ガス容器
４ａｘ  起動装置（開放手段）
４ａｙ  手動起動用レバー
４ｂ    消火用圧力ガス容器
４ｂｘ  起動装置（開放手段）
４ｂｙ  手動起動用レバー
５      泡消火器
６      消火ガス放出ノズル
７      接続パイプ
８      塵芥投入部
Ｂ      車載電源バッテリー
【図１】
2008284194.tif 000003
【図２】
2008284194.tif 000004
【図３】
2008284194.tif 000005
【図４】
2008284194.tif 000006
【図５】
2008284194.tif 000007